(57)【要約】【課題】複数の映像フォーマットに対応した映像信号出力機器、映像表示機器を繋いで映像を見る場合には、繋がる映像フォーマットを覚えた上で両方の機器の映像フォーマットを設定する必要がある。【解決手段】入出力手段で入力データから映像表示装置が表示可能な映像フォーマット情報を検出し、比較手段において変換手段で変換可能な映像フォーマット情報と比較を行い、共通な映像フォーマットを選択可能な映像フォーマットとして、メニュー映像に出力する。ユーザーはメニュー映像を見て、映像フォーマットの選択を行う。変換されたデジタル映像データと同時に映像フォーマート情報も出力データに挿入して出力され、それに従い映像表示装置は画面の映像フォーマットを切り替える。ユーザーは機器同士の接続を行うだけで、最適な映像フォーマットをメニュー画面上から選択することが可能であり、映像表示装置の映像フォーマットも自動的に切り替わる。【選択図】図１
2005167895.tif 000002
【特許請求の範囲】
【請求項１】
入力映像データを異なる映像フォーマットに変換出力可能な映像信号出力装置において、入力映像データとメニュー映像データを合成、または切り替えて合成映像データを出力する合成手段と、前記映像信号出力装置から出力する映像データの出力映像フォーマット情報に従い、前記合成手段の出力を異なる映像フォーマットに変換して変換映像データを出力する変換手段と、前記変換手段の出力を映像表示装置へ伝送可能なデジタル映像データ形式に変換出力する映像データ出力手段と、入力データから前記映像表示装置が表示可能な映像フォーマット情報を検出し、出力映像フォーマット情報を出力データに挿入し、前記映像表示装置へ出力する入出力手段と、表示可能映像フォーマット情報と前記変換手段で変換可能な映像フォーマット情報を比較し、共通な映像フォーマットを選択可能な映像フォーマットとした映像フォーマット選択範囲情報を出力する比較手段と、前記比較手段の出力に基づき、映像フォーマットを選択するために前記映像表示装置に表示するメニュー映像データを出力するメニュー出力手段と、メニュー映像を見て選択を行ったことにより入力される出力映像フォーマット選択情報に従い出力映像フォーマット情報を出力する指示手段とを備えたことを特徴とする映像信号出力装置。
【請求項２】
入力映像データを異なる映像フォーマットに変換出力可能な映像信号出力装置において、前記映像信号出力装置から出力する映像データの出力映像フォーマット情報に従い、入力映像データを異なる映像フォーマットに変換して変換映像データを出力する変換手段と、前記変換手段の出力とメニュー映像データを合成、または切り替えて合成映像データを出力する合成手段と、前記合成手段の出力を映像表示装置へ伝送可能なデジタル映像データ形式に変換出力する映像データ出力手段と、入力データから前記映像表示装置が表示可能な映像フォーマット情報を検出し、出力映像フォーマット情報を出力データに挿入し、前記映像表示装置へ出力する入出力手段と、表示可能映像フォーマット情報と前記変換手段で変換可能な映像フォーマット情報を比較し、共通な映像フォーマットを選択可能な映像フォーマットとした映像フォーマット選択範囲情報を出力する比較手段と、前記比較手段の出力に基づき、映像フォーマットを選択するために前記映像表示装置に表示するメニュー映像データを出力するメニュー出力手段と、メニュー映像を見て選択を行ったことにより入力される出力映像フォーマット選択情報に従い出力映像フォーマット情報を出力する指示手段とを備えたことを特徴とする映像信号出力装置。
【請求項３】
前記変換手段で変換可能な映像フォーマットを全て表示した上で、前記映像表示装置が表示可能な映像フォーマットと表示不可能な映像フォーマットを区別して表示することを特徴とする請求項１、請求項２記載の映像信号出力装置。
【請求項４】
映像フォーマットの区別は、表示可能な映像フォーマットである場合、表示可能な映像フォーマットであることをメニュー画面上に表示するかつ、または表示不可能な映像フォーマットである場合、表示不可能な映像フォーマットであることをメニュー画面上に表示することにより行うことを特徴とする請求項３記載の映像信号出力装置。
【請求項５】
前期表示は、文字を用いていることを特徴とする請求項４記載の映像信号出力装置。
【請求項６】
前期表示は、図形や記号を用いていることを特徴とする請求項４記載の映像信号出力装置。
【請求項７】
映像フォーマットの区別は、表示されるメニュー画面上で色または輝度の変化で示されることを特徴とする請求項３記載の映像信号出力装置。
【請求項８】
映像フォーマットの区別は、表示されるメニュー画面上で形状の変化で示されることを特徴とする請求項３記載の映像信号出力装置。
【請求項９】
メニュー画面上で表示不可能と区別した映像フォーマット上には、選択項目を示すカーソルが停止せず選択できないことを特徴とする請求項７、請求項８記載の映像信号出力装置。
【請求項１０】
前記メニュー出力手段は、前記変換手段で変換可能かつ前記映像表示装置が表示可能な映像フォーマットのみを表示しているデータを出力することを特徴とする請求項１、請求項２記載の映像信号出力装置。
【請求項１１】
前記映像表示装置と前記入出力手段との間で入出力されるデータは、クロック周波数、水平有効画素数、水平ブランキング画素数、垂直有効ライン数、垂直ブランキングライン数、水平同期オフセット、水平同期パルス幅、垂直同期オフセット、垂直同期パルス幅、アスペクト、水平画素数、垂直ライン数、インターレースとプログレッシブの区別、フレーム周波数、ＹＣｂＣｒ形式とＲＧＢ形式の区別、カラーメトリーの情報のうち少なくとも一つを含むことを特徴とする請求項１から請求項１０のいずれかに記載の映像信号出力装置。
【請求項１２】
前記映像表示装置へ伝送可能なデジタル映像データ形式である、前記映像表示装置と前記入出力手段との間で入出力されるデータは    Ｈｉｇｈ−Ｄｉｆｉｎｉｔｉｏｎ  Ｍｕｌｔｉｍｅｄｉａ  Ｉｎｔｅｒｆａｃｅ（ＨＤＭＩ）規格に準拠することを特徴とする請求項１から請求項１１のいずれかに記載の映像信号出力装置。
【発明の詳細な説明】
【技術分野】
【０００１】
本発明は、複数の映像フォーマットに変換出力可能な映像信号出力装置に関するものである。
【背景技術】
【０００２】
近年、デジタル信号処理技術の発達、映像信号のデジタル化により、複数の映像フォーマットに対応した映像機器が増加している。デジタル放送も増え、デジタル映像信号を記録するメディアも多岐に亘り、映像信号の送出側、受像側ともに今後ますます増加していくと考えられる。
【０００３】
主に民生の放送で使用される映像フォーマットとしては、４８０ｉ、４８０ｐ、５７６ｉ、５７６ｐ、７２０ｐ、１０８０ｉなどが挙げられる。しかし、すべての映像信号出力機器、映像表示機器が上記映像フォーマットすべてに対応している訳ではない。
【０００４】
そのため、機器同士を繋いだときに、映すことのできる映像フォーマットの組み合わせが制限されることが多くなる。即ち、ユーザーとしては、映像信号出力機器、映像表示機器それぞれが対応している映像フォーマットを知っていて、繋がる映像フォーマットを覚えなければならない。また、複数の映像信号出力機器、映像表示機器を持っている場合は、繋ぐ組み合わせを変える度にそれらの機器の映像フォーマットを設定し直す煩わしさが生じる。
【０００５】
これらの問題を解決する方法として、映像表示機器が対応している映像フォーマットを水平偏向周波数の周期から自動的に判別し、映像信号出力機器がその中から最適とする映像フォーマットを選び映像信号を出力する方法がある（例えば、特許文献１参照。）。
【０００６】
しかしながらこの方法では、繋ぐ映像表示機器は水平偏向回路を有したＣＲＴ  ＴＶでないといけない。近年増加している液晶ＴＶやプラズマディスプレイパネル（ＰＤＰ）ＴＶでは対応できない。また、映像フォーマットをユーザー自らが選択する場合は、それぞれを設定し直す必要がある。
【特許文献１】特開２００１−１１１９１４号公報（第３−５頁、第１図）
【発明の開示】
【発明が解決しようとする課題】
【０００７】
従来は、複数の映像フォーマットに対応した映像信号出力機器、映像表示機器を繋いで映像を見ようとすると、繋がる映像フォーマットを覚えなければならず、繋ぐ機器を変える場合はそれらの機器の映像フォーマットを設定し直さなければならないという問題があった。
【０００８】
これらの問題を解決する方法として、映像表示機器が対応している映像フォーマットを水平偏向周波数の周期から自動的に判別し、映像信号出力機器がその中から最適とする映像フォーマットを選び映像信号を出力する方法がある。しかしながらこの方法では、映像表示機器が水平偏向回路を有したＣＲＴ  ＴＶでないといけない。また、映像フォーマットをユーザー自らが選択する場合は、それぞれを設定し直さなければならないという問題が残る。
【０００９】
そこで本発明では、様々なディスプレイデバイスを用いた映像表示機器に繋いだ場合でも有効であり、ユーザーが簡単に選択切り替え可能なように、繋がる映像フォーマットを自動的に判別しメニュー画面上に表示する映像信号出力装置を提供することを目的とする。
【課題を解決するための手段】
【００１０】
本発明は、入力映像データを異なる映像フォーマットに変換出力可能な映像信号出力装置において、入力映像データとメニュー映像データを合成、または切り替えて合成映像データを出力する合成手段と、映像信号出力装置から出力する映像データの出力映像フォーマット情報に従い、合成手段の出力を異なる映像フォーマットに変換して変換映像データを出力する変換手段と、変換手段の出力を映像表示装置へ伝送可能なデジタル映像データ形式に変換出力する映像データ出力手段と、入力データから映像表示装置が表示可能な映像フォーマット情報を検出し、出力映像フォーマット情報を出力データに挿入し、前記映像表示装置へ出力する入出力手段と、表示可能映像フォーマット情報と変換手段で変換可能な映像フォーマット情報を比較し、共通な映像フォーマットを選択可能な映像フォーマットとした映像フォーマット選択範囲情報を出力する比較手段と、比較手段の出力に基づき、映像フォーマットを選択するために映像表示装置に表示するメニュー映像データを出力するメニュー出力手段と、メニュー映像を見て選択を行ったことにより入力される出力映像フォーマット選択情報に従い出力映像フォーマット情報を出力する指示手段で構成されている。
【００１１】
また、入力映像データを異なる映像フォーマットに変換出力可能な映像信号出力装置において、映像信号出力装置から出力する映像データの出力映像フォーマット情報に従い、入力映像データを異なる映像フォーマットに変換して変換映像データを出力する変換手段と、変換手段の出力とメニュー映像データを合成、または切り替えて合成映像データを出力する合成手段と、合成手段の出力を映像表示装置へ伝送可能なデジタル映像データ形式に変換出力する映像データ出力手段と、入力データから映像表示装置が表示可能な映像フォーマット情報を検出し、出力映像フォーマット情報を出力データに挿入し、前記映像表示装置へ出力する入出力手段と、表示可能映像フォーマット情報と変換手段で変換可能な映像フォーマット情報を比較し、共通な映像フォーマットを選択可能な映像フォーマットとした映像フォーマット選択範囲情報を出力する比較手段と、比較手段の出力に基づき、映像フォーマットを選択するために映像表示装置に表示するメニュー映像データを出力するメニュー出力手段と、メニュー映像を見て選択を行ったことにより入力される出力映像フォーマット選択情報に従い出力映像フォーマット情報を出力する指示手段で構成されている。
【発明の効果】
【００１２】
本発明によれば、複数の映像フォーマットに対応した映像信号出力機器、映像表示機器を繋いで映像を見る場合、特に繋ぐ機器を変える場合などに、ユーザーが見ようとする映像フォーマットを選び切り替えられるように、繋がる映像フォーマットを自動的に判別しメニュー画面上に表示する。そのため、ユーザーは機器に関して詳しい知識を持っていなくても、簡単に映像フォーマットを選ぶことができる。ユーザーが映像信号出力機器に対して出力する映像フォーマットを設定すると、自動的に映像表示機器の映像フォーマットも切り替わる。また、様々なディスプレイデバイスを用いた映像表示機器に繋いだ場合でも有効である。
【発明を実施するための最良の形態】
【００１３】
以下、本発明の実施の形態について図面を参照しながら説明する。
【００１４】
（実施の形態１）
図１は、本発明の実施の形態１における映像信号出力装置の実施方法を示した図である。図１において、１０１は入力映像データとメニュー映像データを合成、または切り替えて合成映像データを出力する合成手段である。１０２は映像信号出力装置から出力する映像データの映像フォーマット情報に従い、合成映像データを異なる映像フォーマットに変換して変換映像データを出力する変換手段である。１０３は変換映像データを映像表示装置へ伝送可能なデジタル映像データ形式に変換出力する映像データ出力手段である。１０４は入力データから映像表示装置が表示可能な映像フォーマット情報を検出し、出力映像フォーマット情報を出力データに挿入する入出力手段である。１０５は入出力手段１０４で検出された表示可能映像フォーマット情報と変換手段で変換可能な映像フォーマット情報を比較し、共通な映像フォーマットを選択可能な映像フォーマットとした映像フォーマット選択範囲情報を出力する比較手段である。１０６は比較手段の出力に基づき、映像フォーマットを選択するために映像表示装置に表示するメニュー映像データを出力するメニュー出力手段である。１０７はメニュー映像を見て選択を行ったことにより入力される出力映像フォーマット選択情報に従い出力映像フォーマット情報を出力する指示手段である。
【００１５】
以上のように構成された本実施の形態の動作について説明する。説明のため、入力映像データの映像フォーマットを４８０ｉとする。また、変換手段１０２で変換可能な映像フォーマットを４８０ｐ、７２０ｐ、１０８０ｉとする。そして、繋がれる映像表示装置が対応している映像フォーマットを４８０ｉ、４８０ｐ、１０８０ｉとする。
【００１６】
映像信号出力装置は、Ｈｉｇｈ−Ｄｉｆｉｎｉｔｉｏｎ  Ｍｕｌｔｉｍｅｄｉａ  Ｉｎｔｅｒｆａｃｅ（ＨＤＭＩ）規格に対応した装置であるとする。ＨＤＭＩ規格とは、松下、ＳＯＮＹ、日立、東芝、Ｐｈｉｌｉｐｓ、トムソン、Ｓｉｌｉｃｏｎ  Ｉｍａｇｅの計７社が２００２年の１２月に策定した規格である。映像信号出力装置と映像表示装置間で入出力されるデジタル映像データの形式は、ＥＩＡ／ＣＥＡ−８６１Ｂ規格に準拠している。ＨＤＭＩ規格では、デジタルデータ以外に付帯情報の入出力を行う。
【００１７】
付帯情報の一つは、映像表示装置が画面に表示可能、または入力可能な映像に関する情報と、入力可能な音声に関する情報などである。この情報はＶＥＳＡで策定されたＥｘｔｅｎｄｅｄ  Ｄｉｓｐｌａｙ  Ｉｄｅｎｔｉｆｉｃａｔｉｏｎ  Ｄａｔａ（ＥＤＩＤ）規格に準拠し、ＥＩＡ／ＣＥＡ−８６１Ｂ規格で規定されるデータ形式に納められている。図３にＥＤＩＤデータのデータ形式を示す。ＥＤＩＤデータのｄｅｔａｉｌｅｄ  ｔｉｍｉｎｇ  ｄｅｓｃｒｉｐｔｏｒに映像フォーマットに関する情報を記載できる。映像フォーマットに関する情報には、クロック周波数、水平有効画素数、水平ブランキング画素数、垂直有効ライン数、垂直ブランキングライン数、水平同期オフセット、水平同期パルス幅、垂直同期オフセット、垂直同期パルス幅、アスペクトなどがある。それぞれの情報は８ｂｉｔで記載可能であり、任意の値を取り得る。
【００１８】
図４に４８０ｉのｄｅｔａｉｌｅｄ  ｔｉｍｉｎｇ  ｄｅｓｃｒｉｐｔｏｒの例を示す。図５に４８０ｐのｄｅｔａｉｌｅｄ  ｔｉｍｉｎｇ  ｄｅｓｃｒｉｐｔｏｒの例を示す。図６に１０８０ｉのｄｅｔａｉｌｅｄ  ｔｉｍｉｎｇ  ｄｅｓｃｒｉｐｔｏｒの例を示す。
【００１９】
また、ＥＤＩＤデータには映像フォーマットに関する情報としてｓｈｏｒｔ  ｖｉｄｅｏ  ｄｅｓｃｒｉｐｔｏｒがある。図３のＥＤＩＤデータのＢｙｔｅ４からｄａｔａ  ｂｌｏｃｋ  ｃｏｌｌｅｃｔｉｏｎを記載するが、ｄａｔａ  ｂｌｏｃｋ  ｃｏｌｌｅｃｔｉｏｎのＶｉｄｅｏ  Ｄａｔａ  Ｂｌｏｃｋにｓｈｏｒｔ  ｖｉｄｅｏ  ｄｅｓｃｒｉｐｔｏｒを記載する。図７にｄａｔａ  ｂｌｏｃｋ  ｃｏｌｌｅｃｔｉｏｎのデータ形式を示す。図８にｓｈｏｒｔ  ｖｉｄｅｏ  ｄｅｓｃｒｉｐｔｏｒのデータ形式を示す。ｓｈｏｒｔ  ｖｉｄｅｏ  ｄｅｓｃｒｉｐｔｏｒには民生の放送で一般的に用いられる映像フォーマットが複数列挙されていて、それぞれの映像フォーマットには７ｂｉｔからなるｖｉｄｅｏ  ｃｏｄｅが割り振られている。そしてｓｈｏｒｔ  ｖｉｄｅｏ  ｄｅｓｃｒｉｐｔｏｒ  のｖｉｄｅｏ  ｃｏｄｅを記載することにより、画面に表示可能な映像フォーマットとして設定できる。各映像フォーマットに対しては水平画素数、垂直ライン数、インターレースとプログレッシブの区別、フレーム周波数、アスペクトの情報が規定されている。
【００２０】
映像表示装置は、画面に表示可能、または入力可能な複数の映像フォーマットをｄｅｔａｉｌｅｄ  ｔｉｍｉｎｇ  ｄｅｓｃｒｉｐｔｏｒ、ｓｈｏｒｔ  ｖｉｄｅｏ  ｄｅｓｃｒｉｐｔｏｒに記載しておく。本発明の実施の形態１では、４８０ｉ、４８０ｐ、１０８０ｉである。映像信号出力装置はあるタイミングで、映像表示装置からＥＤＩＤデータを読み出す。
【００２１】
付帯情報のもう一つは、映像信号出力装置が出力を行っている映像と音声に関する情報である。この情報はＥＩＡ／ＣＥＡ−８６１Ｂ規格で規定されるＩｎｆｏ  Ｆｒａｍｅ形式に納められている。図９に映像に関係するＡｕｘｉｌｉａｒｙ  Ｖｉｄｅｏ  Ｉｎｆｏｒｍａｔｉｏｎ  （ＡＶＩ）  Ｉｎｆｏ  Ｆｒａｍｅデータのデータ形式を示す。ＡＶＩ  Ｉｎｆｏ  ＦｒａｍｅデータのＤａｔａ  Ｂｙｔｅ４にもｓｈｏｒｔ  ｖｉｄｅｏ  ｄｅｓｃｒｉｐｔｏｒのｖｉｄｅｏ  ｃｏｄｅを記載する。その他のＤａｔａ  Ｂｙｔｅを説明するために、図１０にＤａｔａ  Ｂｙｔｅ１の設定値の詳述を示す。図１１にＤａｔａ  Ｂｙｔｅ２の設定値の詳述を示す。図１２にＤａｔａ  Ｂｙｔｅ３の設定値の詳述を示す。図１３にＤａｔａ  Ｂｙｔｅ５の設定値の詳述を示す。
【００２２】
Ｄａｔａ  Ｂｙｔｅ１にはＹＣｂＣｒ形式とＲＧＢ形式の区別を示す情報、Ｄａｔａ  Ｂｙｔｅ２にはカラーメトリー、アスペクトの情報が記載されている。そのため、ＡＶＩ  Ｉｎｆｏ  Ｆｒａｍｅデータの映像フォーマットに関する情報は、水平画素数、垂直ライン数、インターレースとプログレッシブの区別、フレーム周波数、アスペクト、ＹＣｂＣｒ形式とＲＧＢ形式の区別、カラーメトリーなどがある。
【００２３】
映像信号出力装置は、出力を行っている映像に関する情報をＡＶＩ  Ｉｎｆｏ  Ｆｒａｍｅデータに記載しておく。映像信号出力装置はあるタイミングで、映像表示装置にＩｎｆｏ  Ｆｒａｍｅデータを出力する。
【００２４】
ユーザーが映像信号出力装置と映像表示装置をＨＤＭＩ規格のケーブルで繋ぐと、映像信号出力装置が映像表示装置からＥＤＩＤデータを読み出す。入出力手段１０４は、入力データであるＥＤＩＤデータから、ｄｅｔａｉｌｅｄ  ｔｉｍｉｎｇ  ｄｅｓｃｒｉｐｔｏｒデータとｓｈｏｒｔ  ｖｉｄｅｏ  ｄｅｓｃｒｉｐｔｏｒデータを表示可能映像フォーマット情報として検出する。
【００２５】
図１４に、比較手段１０５の構成例を示す。１５１はｄｅｔａｉｌｅｄ  ｔｉｍｉｎｇ  ｄｅｓｃｒｉｐｔｏｒを解析して映像フォーマットを得るｄｅｔａｉｌｅｄ  ｔｉｍｉｎｇ  ｄｅｓｃｒｉｐｔｏｒ解析手段である。１５２はｓｈｏｒｔ  ｖｉｄｅｏ  ｄｅｓｃｒｉｐｔｏｒを解析して映像フォーマットを得るｓｈｏｒｔ  ｖｉｄｅｏ  ｄｅｓｃｒｉｐｔｏｒ解析手段である。２つの解析手段から得られた映像フォーマットを基に、表示可能映像フォーマット解析手段１５３で表示可能な映像フォーマットが得られる。
【００２６】
ＨＤＭＩ規格と相似したデジタル映像データの形式をとる規格にＤｉｇｉｔａｌ  Ｖｉｓｕａｌ  Ｉｎｔｅｒｆａｃｅ（ＤＶＩ）規格がある。そのため、ＨＤＭＩ規格に対応しているとＤＶＩ規格にも対応することは可能である。但し、ＤＶＩ規格のＥＤＩＤデータにはｄｅｔａｉｌｅｄ  ｔｉｍｉｎｇ  ｄｅｓｃｒｉｐｔｏｒしか存在しない。そのため、表示可能映像フォーマット解析手段１５３はｄｅｔａｉｌｅｄ  ｔｉｍｉｎｇ  ｄｅｓｃｒｉｐｔｏｒしか存在しない場合には、ｄｅｔａｉｌｅｄ  ｔｉｍｉｎｇ  ｄｅｓｃｒｉｐｔｏｒ解析手段１５１から出力される映像フォーマットを表示可能な映像フォーマットとする。また、ＥＤＩＤデータの間違いによりｄｅｔａｉｌｅｄ  ｔｉｍｉｎｇ  ｄｅｓｃｒｉｐｔｏｒ解析手段１５１とｓｈｏｒｔ  ｖｉｄｅｏ  ｄｅｓｃｒｉｐｔｏｒ解析手段１５２から得られる映像フォーマットが一致しない場合がある。その場合は、ｓｈｏｒｔ  ｖｉｄｅｏ  ｄｅｓｃｒｉｐｔｏｒはｖｉｄｅｏ  ｃｏｄｅ７ｂｉｔのみの記載であり記載項目が少なく間違っている可能性が低いと思われるため、ｓｈｏｒｔ  ｖｉｄｅｏ  ｄｅｓｃｒｉｐｔｏｒ解析手段１５２から得られる映像フォーマットを優先する。表示可能映像フォーマット解析手段１５３で、表示可能な映像フォーマットとして４８０ｉ、４８０ｐ、１０８０ｉが得られる。
【００２７】
表示可能映像フォーマット解析手段１５３で得られた表示可能な映像フォーマットと、変換手段１０２で変換可能な映像フォーマットの比較を映像フォーマット比較手段１５４で行う。実施の形態１においては、表示可能な映像フォーマット４８０ｉ、４８０ｐ、１０８０ｉと変換可能な映像フォーマット４８０ｐ、７２０ｐ、１０８０ｉの比較の結果、４８０ｐ、１０８０ｉが選択可能な映像フォーマットであるという情報をメニュー出力手段１０６、指示手段１０７に出力する。
【００２８】
メニュー出力手段１０６は、ユーザーが映像フォーマットの選択メニューを呼び出したときに、４８０ｐ、１０８０ｉのどちらかを選べるようなメニュー映像データを合成手段１０１に出力する。
【００２９】
図１５、図１６、図１７、図１８、図１９にメニュー画面の例を示す。図１５は本発明のメニュー画面の第一の実施例を示した図である。（ａ）は選択不可能な７２０ｐの位置に選択項目を示すカーソルがあるときに、選択不可能であることを文字で示している。（ｂ）は選択可能な４８０ｐの位置に選択項目を示すカーソルがあるときに、選択可能であることを文字で示している。本実施例におけるメニュー表示方法には、選択不可能な映像フォーマットのみ文字を表示する方法、選択可能な映像フォーマットのみ文字を表示する方法、どの映像フォーマットでも文字を表示する方法の３通りある。
【００３０】
図１６は本発明のメニュー画面の第二の実施例を示した図である。（ａ）は選択不可能な７２０ｐの位置に選択項目を示すカーソルがあるときに、選択不可能であることを図形で示している。（ｂ）は選択可能な４８０ｐの位置に選択項目を示すカーソルがあるときに、選択可能であることを図形で示している。本実施例におけるメニュー表示方法には、選択不可能な映像フォーマットのみ図形を表示する方法、選択可能な映像フォーマットのみ図形を表示する方法、どの映像フォーマットでも図形を表示する方法の３通りある。
【００３１】
図１７は本発明のメニュー画面の第三の実施例を示した図である。（ａ）は選択不可能な７２０ｐの輝度を下げて区別を行い、選択項目を示すカーソルが停止せず、選択できないようにしている。それに対し、（ｂ）は４８０ｐ、７２０ｐ、１０８０ｉはすべてを選べるときのメニュー画面である。
【００３２】
図１８は本発明のメニュー画面の第四の実施例を示した図である。（ａ）は選択不可能な７２０ｐの枠の形状を変え、選択項目を示すカーソルが停止せず、選択できないようにしている。それに対し、（ｂ）は４８０ｐ、７２０ｐ、１０８０ｉはすべてを選べるときのメニュー画面である。
【００３３】
図１９は本発明のメニュー画面の第五の実施例を示した図である。（ａ）は選択できない７２０ｐはメニュー画面になく、選択できないようにしている。それに対し、（ｂ）は４８０ｐ、７２０ｐ、１０８０ｉはすべてを選べるときのメニュー画面である。
【００３４】
ユーザーは、図１５、図１６、図１７、図１８、図１９に示されたメニュー画面を見て、４８０ｐ、１０８０ｉのどちらかを選択する。どちらが選ばれたかは、出力映像フォーマット選択情報として出力映像フォーマット指示手段１０７に入力される。出力映像フォーマット指示手段１０７は、選択された映像フォーマットが選択可能な映像フォーマットに含まれていることを確認した後、選択された映像フォーマットに変換するように変換手段１０２に指示を行う。
【００３５】
入力映像データの映像フォーマットは４８０ｉであり、合成手段１０１に入力されるメニュー映像データも４８０ｉである。合成手段１０１で入力映像データとメニュー映像データは合成される。変換手段１０２は、合成映像データに対して、出力映像フォーマット指示手段１０７からの指示に従い、映像フォーマットの変換を行う。変換映像データは、映像データ出力手段１０３で、ＥＩＡ／ＣＥＡ−８６１Ｂに準拠したデータ形式に変換され映像信号出力装置から出力される。入出力手段１０４は、出力映像フォーマット情報をＩｎｆｏ  Ｆｒａｍｅデータに挿入し出力データとして出力する。映像表示装置は、入力された出力映像フォーマット情報に従い画面の映像フォーマットを切り替え、映像データを画面に映す。
【００３６】
よって、繋がる映像フォーマットを自動的に判別しメニュー画面上に表示することができ、ユーザーがそれを見ながら選択切り替えを行うと、自動的に映像表示機器の映像フォーマットも切り替わる。また、ディスプレイデバイスの表示方式の制約を受けることなく、様々なディスプレイデバイスを用いた映像表示機器に繋いだ場合でも有効である。
【００３７】
なお、映像信号出力装置が表示するメニュー画面は図１５、図１６、図１７、図１８、図１９に示されるデザインに限られる訳ではない。変換手段で変換可能な映像フォーマットを全て表示した上で、映像表示装置が表示可能な映像フォーマットと表示不可能な映像フォーマットを区別して表示すれば良い。その区別は、選択可能な映像フォーマットであることや選択不可能な映像フォーマットであることを文字、図形、記号で示すことにより行えば良い。また、表示されるメニュー画面上で色や輝度の変化、形状の変化で示されていても良い。そして、表示不可能と区別した映像フォーマット上には選択項目を示すカーソルが停止しないことにより、選択できないことを明示しても良い。または、変換手段で変換可能かつ映像表示装置が表示可能な映像フォーマットのみを表示しても良い。
【００３８】
さらに、入力映像データの映像フォーマットは４８０ｉに限らない。また、変換手段１０２で変換可能な映像フォーマットは４８０ｐ、７２０ｐ、１０８０ｉに限らない。そして、繋がれる映像表示装置が対応している映像フォーマットは４８０ｉ、４８０ｐ、１０８０ｉに限らない。それぞれの映像フォーマットは、様々な映像フォーマットを取り得る。
【００３９】
さらに、映像表示装置へ伝送可能なデジタル映像データ形式、入力データ、出力データは    Ｈｉｇｈ−Ｄｉｆｉｎｉｔｉｏｎ  Ｍｕｌｔｉｍｅｄｉａ  Ｉｎｔｅｒｆａｃｅ（ＨＤＭＩ）規格に準拠したものに限る訳ではない。
【００４０】
（実施の形態２）
図２は、本発明の実施の形態２における映像信号出力装置の実施方法を示した図である。図２において、１０２は映像信号出力装置から出力する映像データの映像フォーマット情報に従い、入力映像データを異なる映像フォーマットに変換して変換映像データを出力する変換手段である。１０１は変換映像データとメニュー映像データを合成、または切り替えて合成映像データを出力する合成手段である。１０３は合成映像データを映像表示装置へ伝送可能なデジタル映像データ形式に変換出力する映像データ出力手段である。１０４は入力データから映像表示装置が表示可能な映像フォーマット情報を検出し、出力映像フォーマット情報を出力データに挿入する入出力手段である。１０５は入出力手段１０４で検出された表示可能映像フォーマット情報と変換手段で変換可能な映像フォーマット情報を比較し、共通な映像フォーマットを選択可能な映像フォーマットとした映像フォーマット選択範囲情報を出力する比較手段である。１０６は比較手段の出力に基づき、映像フォーマットを選択するために映像表示装置に表示するメニュー映像データを出力するメニュー出力手段である。１０７はメニュー映像を見て選択を行ったことにより入力される出力映像フォーマット選択情報に従い出力映像フォーマット情報を出力する指示手段である。
【００４１】
以上のように構成された本実施の形態の動作について説明する。図２において図１と同一符号を付した部分は同一の機能を有しているので詳細な説明は省略し、差分についてのみ説明する。本実施の形態では、メニュー出力手段１０６は、変換手段１０２が変換可能な映像フォーマットと同じフォーマットのメニュー映像データを出力することが可能である。そのため、ユーザーが選択した映像フォーマットの変換映像データとメニュー映像データが合成手段１０１で合成される。
【００４２】
よって、繋がる映像フォーマットを自動的に判別しメニュー画面上に表示することができ、ユーザーがそれを見ながら選択切り替えを行うと、自動的に映像表示機器の映像フォーマットも切り替わる。また、ディスプレイデバイスの表示方式の制約を受けることなく、様々なディスプレイデバイスを用いた映像表示機器に繋いだ場合でも有効である。
【産業上の利用可能性】
【００４３】
本発明にかかる映像信号出力装置は、複数の映像フォーマットに対応した映像信号出力装置、映像表示装置を繋いで映像を見る場合、映像表示装置から入力された映像表示装置が表示可能な映像フォーマット情報と映像信号出力装置で変換可能な映像フォーマット情報を比較し、共通な映像フォーマットを選択可能な映像フォーマットとしてメニュー画面上に表示することによって、ユーザーは機器に関して詳しい知識を持っていなくても、機器を繋いだ後、メニュー画面を見ながら選び切り替えるだけで見たい映像フォーマットで映像を見ることができ、かつ自動的に映像表示機器の映像フォーマットも切り替わることが必要な用途にも適用できる。
【図面の簡単な説明】
【００４４】
【図１】本発明の実施の形態１における映像信号出力装置の実施方法を示した説明図
【図２】本発明の実施の形態２における映像信号出力装置の実施方法を示した説明図
【図３】ＥＤＩＤデータのデータ形式を示した説明図
【図４】４８０ｉのｄｅｔａｉｌｅｄ  ｔｉｍｉｎｇ  ｄｅｓｃｒｉｐｔｏｒの例を示した説明図
【図５】４８０ｐのｄｅｔａｉｌｅｄ  ｔｉｍｉｎｇ  ｄｅｓｃｒｉｐｔｏｒの例を示した説明図
【図６】１０８０ｉのｄｅｔａｉｌｅｄ  ｔｉｍｉｎｇ  ｄｅｓｃｒｉｐｔｏｒの例を示した説明図
【図７】ｄａｔａ  ｂｌｏｃｋ  ｃｏｌｌｅｃｔｉｏｎのデータ形式を示した説明図
【図８】ｓｈｏｒｔ  ｖｉｄｅｏ  ｄｅｓｃｒｉｐｔｏｒのデータ形式を示した説明図
【図９】Ａｕｘｉｌｉａｒｙ  Ｖｉｄｅｏ  Ｉｎｆｏｒｍａｔｉｏｎ  （ＡＶＩ）  Ｉｎｆｏ  Ｆｒａｍｅデータのデータ形式を示した説明図
【図１０】ＡＶＩ  Ｉｎｆｏ  Ｆｒａｍｅデータ  Ｄａｔａ  Ｂｙｔｅ１の設定値の詳述を示した説明図
【図１１】ＡＶＩ  Ｉｎｆｏ  Ｆｒａｍｅデータ  Ｄａｔａ  Ｂｙｔｅ２の設定値の詳述を示した説明図
【図１２】ＡＶＩ  Ｉｎｆｏ  Ｆｒａｍｅデータ  Ｄａｔａ  Ｂｙｔｅ３の設定値の詳述を示した説明図
【図１３】ＡＶＩ  Ｉｎｆｏ  Ｆｒａｍｅデータ  Ｄａｔａ  Ｂｙｔｅ５の設定値の詳述を示した説明図
【図１４】本発明の実施の形態１における比較手段の構成例を示した説明図
【図１５】本発明のメニュー画面の第一の実施例を示した説明図
【図１６】本発明のメニュー画面の第二の実施例を示した説明図
【図１７】本発明のメニュー画面の第三の実施例を示した説明図
【図１８】本発明のメニュー画面の第四の実施例を示した説明図
【図１９】本発明のメニュー画面の第五の実施例を示した説明図
【符号の説明】
【００４５】
１０１    合成手段
１０２    変換手段
１０３    映像データ出力手段
１０４    入出力手段
１０５    比較手段
１０６    メニュー出力手段
１０７    指示手段
１５１    ｄｅｔａｉｌｅｄ  ｔｉｍｉｎｇ  ｄｅｓｃｒｉｐｔｏｒ解析手段
１５２    ｓｈｏｒｔ  ｖｉｄｅｏ  ｄｅｓｃｒｉｐｔｏｒ解析手段
１５３    表示可能映像フォーマット解析手段
１５４    映像フォーマット比較手段
【図１】
2005167895.tif 000003
【図２】
2005167895.tif 000004
【図３】
2005167895.tif 000005
【図４】
2005167895.tif 000006
【図５】
2005167895.tif 000007
【図６】
2005167895.tif 000008
【図７】
2005167895.tif 000009
【図８】
2005167895.tif 000010
【図９】
2005167895.tif 000011
【図１０】
2005167895.tif 000012
【図１１】
2005167895.tif 000013
【図１２】
2005167895.tif 000014
【図１３】
2005167895.tif 000015
【図１４】
2005167895.tif 000016
【図１５】
2005167895.tif 000017
【図１６】
2005167895.tif 000018
【図１７】
2005167895.tif 000019
【図１８】
2005167895.tif 000020
【図１９】
2005167895.tif 000021
【手続補正書】
【提出日】平成16年12月9日(2004.12.9)
【手続補正１】
【補正対象書類名】特許請求の範囲
【補正対象項目名】全文
【補正方法】変更
【補正の内容】
【特許請求の範囲】
【請求項１】
映像フォーマットの情報と、映像表示装置が表示可能な映像フォーマットの情報を比較し、共通な映像フォーマット情報を出力する比較手段と、前記共通な映像フォーマット情報から出力映像フォーマットを選択するための選択手段と、選択された出力映像フォーマット情報に従い、映像データを変換する変換手段とを備えた映像信号出力装置。
【請求項２】
前記選択手段は、前記比較手段の出力に基づいて、前記出力映像フォーマットを選択するためのメニューデータを出力する請求項１記載の映像信号出力装置。
【請求項３】
前記変換手段で変換可能な映像フォーマットを全てメニュー画面に表示した上で、前記映像表示装置が表示可能な映像フォーマットと表示不可能な映像フォーマットを区別して表示する請求項２記載の映像信号出力装置。
【請求項４】
映像フォーマットの区別は、表示可能な映像フォーマットである場合、表示可能な映像フォーマットであることをメニュー画面上に表示するかつ、または表示不可能な映像フォーマットである場合、表示不可能な映像フォーマットであることをメニュー画面上に表示することにより行う請求項３記載の映像信号出力装置。
【請求項５】
前記表示は、文字を用いる請求項３記載の映像信号出力装置。
【請求項６】
前記表示は、図形や記号を用いる請求項３記載の映像信号出力装置。
【請求項７】
映像フォーマットの区別は、表示されるメニュー画面上で色または輝度の変化で示される請求項３記載の映像信号出力装置。
【請求項８】
映像フォーマットの区別は、表示されるメニュー画面上で形状の変化で示される請求項３記載の映像信号出力装置。
【請求項９】
メニュー画面上で表示不可能と区別した映像フォーマット上には、選択項目を示すカーソルが停止せず、選択できない請求項３記載の映像信号出力装置。
【請求項１０】
前記選択手段は、前記変換手段で変換可能かつ前記映像表示装置が表示可能な映像フォーマットのみを表示しているデータを出力する請求項２記載の映像信号出力装置。
【請求項１１】
前記映像表示装置との間で入出力されるデータは、クロック周波数、水平有効画素数、水平ブランキング画素数、垂直有効ライン数、垂直ブランキングライン数、水平同期オフセット、水平同期パルス幅、垂直同期オフセット、垂直同期パルス幅、アスペクト、水平画素数、垂直ライン数、インターレースとプログレッシブの区別、フレーム周波数、ＹＣｂＣｒ形式とＲＧＢ形式の区別、カラーメトリーの情報のうち少なくとも一つを含む請求項１記載の映像信号出力装置。
【請求項１２】
前記映像表示装置との間で入出力されるデータは    Ｈｉｇｈ−Ｄｉｆｉｎｉｔｉｏｎ  Ｍｕｌｔｉｍｅｄｉａ  Ｉｎｔｅｒｆａｃｅ（ＨＤＭＩ）規格に準拠する請求項２記載の映像信号出力装置。
【手続補正２】
【補正対象書類名】明細書
【補正対象項目名】００１０
【補正方法】変更
【補正の内容】
【００１０】
本発明は、映像フォーマットの情報と、映像表示装置が表示可能な映像フォーマットの情報を比較し、共通な映像フォーマット情報を出力する比較手段と、共通な映像フォーマット情報から出力映像フォーマットを選択するための選択手段と、選択された出力映像フォーマット情報に従い、映像データを変換する変換手段とを備え、選択手段は、比較手段の出力に基づいて、出力映像フォーマットを選択するためのメニューデータを出力する映像信号出力装置である。
【手続補正３】
【補正対象書類名】明細書
【補正対象項目名】００１１
【補正方法】変更
【補正の内容】
【００１１】
さらに、変換手段で変換可能な映像フォーマットを全てメニュー画面に表示した上で、映像表示装置が表示可能な映像フォーマットと表示不可能な映像フォーマットを区別して表示する映像信号出力装置である。